(57)【要約】【課題】壁などの被着体にカメラ本体を粘着させる粘着体を備えた撮像装置において、繰返し使用後の粘着体の粘着力低下を防止する為のゴミ除去機構を備えた撮像装置を提供すること。【解決手段】粘着体表面に水分を供給する給水手段と、ゴミと水分を除去するワイパー形状のゴミ除去手段は粘着体を保護する開閉可能な蓋部材に備えられ、蓋部材の開閉動作に連動して動作する。詳しくは前記蓋部材の閉じ動作に連動して前記給水手段による給水と、前記ゴミ除去手段によるゴミ除去が行われ、前記蓋部材の開き動作では前記ゴミ除去手段によるゴミ除去のみが行われるように構成されている。【選択図】図３
2019008085.tif 000002
【特許請求の範囲】
【請求項１】
粘着体を備えた本体と、前記粘着体の表面に水分を供給する給水手段と、前記粘着体の表面を移動して、ゴミと水分を除去するゴミ除去手段とを備えたことを特徴とする撮像装置。
【請求項２】
前記粘着体はゲル素材であり、前記ゴミ除去手段はワイパー形状であり、前記給水手段と前記ゴミ除去手段は、前記粘着体を保護する開閉可能な蓋部材に備えられたことを特徴とする請求項１に記載の撮像装置。
【請求項３】
前記給水手段と前記ゴミ除去手段は前記蓋部材の開閉動作に連動して動作することを特徴とする請求項１に記載の撮像装置。
【請求項４】
前記蓋部材の閉動作に連動して前記給水手段による給水と、前記ゴミ除去手段によるゴミ除去が行われ、前記蓋部材の開動作では前記給水部による給水がされないことを特徴とする請求項３に記載の撮像装置。
【請求項５】
前記粘着体により、撮像装置を被着体に粘着させる際、前記蓋部材が被着体と反対側へ移動し、前記粘着体の高さより退避することを特徴とする請求項１に記載の撮像装置。
【発明の詳細な説明】
【技術分野】
【０００１】
本発明は、粘着体を備えた撮像装置に関し、特に粘着体の粘着力低下を防止する機能を備えたカメラに関する。
【背景技術】
【０００２】
近年、ヤモリの足の生体模倣技術や粘着技術の進歩により、繰返し粘着／剥離させることが可能な素材が開発されており、安価で安定的な性能を備えるゲル素材などの粘着体を備えた撮像装置であるカメラも提案されている。このカメラは粘着体を介して直接、任意の壁などに設置することが可能なので、三脚などを用いることなく、いつでもどこでも手軽に撮影者を含めた集合写真や、撮影者本人を撮影する、いわゆる自分撮りが可能となっている。
【０００３】
しかしながら、ゲル素材などの粘着体は壁面にある不要なゴミ、粉体などもよく粘着させるので、繰返し使用の間に、これらが次第に粘着面を覆って粘着力が低下することがある。従って、粘着体を備えたカメラはこの粘着力低下を防止する為に、定期的にゲル素材からゴミ、粉体などを除去できることが望ましい。ゲル素材に粘着しているゴミ、粉体などは、乾燥状態では容易に除去できないが、粘着面に水分を与えてゲル素材からゴミ、粉体を浮かしてから水分と一緒に除去する方法が有効であることが一般に知られている。
【０００４】
しかし、この水分がゲル素材の表面に残ったままでは、同様に粘着力は低下してしまう。特許文献１には、既に供給されている水分をワイパーで集め、直ちに吸収する技術に関する従来例として、ワイパー手段のブレードの近傍にスポンジを備えた構成が開示されている。
【先行技術文献】
【特許文献】
【０００５】
【特許文献１】特開２０００−９３３５５号公報
【発明の概要】
【発明が解決しようとする課題】
【０００６】
しかし、特許文献１が開示する技術では、窓ガラス面などの水分を集めて吸収させる吸収体をそなえた構成であり、ゲル素材に付着したゴミなどを除去することに必要な水分を供給して除去することに関する記載は無かった。
【０００７】
そこで、本発明は、ゲル素材などの粘着体を備える撮像装置であって、ゴミ、粉体などが付着した粘着面からこれらを除去して粘着力の低下を防止することが可能な撮像装置を提供することを目的とする。
【課題を解決するための手段】
【０００８】
上記の目的を達成するために、本発明に係る撮像装置は、
粘着体を備えた本体と、粘着体を保護する蓋部材に粘着体表面に水分を供給する給水手段とゴミ除去手段を備えてあり、蓋部材に開閉動作に連動して粘着面上に前記給水手段からの水分供給を行い、ゴミ除去手段が粘着面のゴミを除去することを特徴としている。
【発明の効果】
【０００９】
本発明に係る撮像装置によれば、使用する際は、常にゴミ、粉体などが粘着面から除去されているので、粘着力低下による撮像装置の落下などを懸念することが無い。すなわち、粘着力低下を防止することが可能な撮像装置を提供することが出来る。また、装置を壁に粘着させる際に蓋部材が粘着体の高さより退避できるので設置の邪魔になることも無い。
【図面の簡単な説明】
【００１０】
【図１】本実施例のカメラの外観図
【図２】本実施例のカメラのゴミ除去機構を説明する図と側面図
【図３】本実施例の実施例のカメラのスライド機構を説明する部分断面図
【図４】本実施例のカメラのゴミ除去機構の動作を説明する上面図
【図５】本実施例のカメラのゴミ除去機構の詳細を説明する拡大図
【図６】本実施例に対する撮影者の操作と、撮像装置の動作を説明する説明図
【発明を実施するための形態】
【００１１】
以下、本発明を実施するための形態について、図面を参照しながら説明する。
【実施例】
【００１２】
図１から図６を参照して、本発明の実施例の撮像装置について説明する。
【００１３】
図１はカメラの外観図で図１（ａ）は正面図、図１（ｂ）は上面図、図２（ａ）はスライド蓋内部とスライド蓋をスライドさせるスライド機構を示す部分断面図（上面視）、図２（ｂ）は左側面図、図２（ｃ）は右側面図、図３は図２（ａ）に示した断面による断面図で図３（ａ）は断面Ｄ−Ｄ、図３（ｂ）は断面Ｅ−Ｅ、図４はスライド蓋の動作を説明する部分断面図（上面視）で、図４（ａ）はスライド蓋３をＸ方向正方向に移動した状態を示し、図４（ｂ）はスライド蓋３が右端部に達した状態、図４（ｃ）はスライド蓋３がＺ方向正方向へ移動して退避し、壁にカメラ本体２を粘着させた状態を示す。以上、スライド機構を説明する部分断面図は図１（ａ）、図２（ｂ）に示すＡ−Ａ断面の位置である。
【００１４】
図５はゴミ除去ユニット３ｇの動作の詳細を示す部分拡大図で、図１（ａ）、図２（ｂ）のＢ−Ｂ断面である。図５（ａ）はスライド蓋３の開き動作でＸ方向正方向へ移動の初期にゴミ除去部３ｆが粘着ゲルシート２０に当接してゴミ除去ユニット３ｇを回転させている状態を示し、図５（ｂ）はゴミ除去ユニット３ｇが粘着ゲルシート２０上を移動して、ゴミ除去部３ｆのみが余分な水分を除去している状態を示し、図５（ｃ）はスライド蓋３の閉じ動作でＸ方向負方向への移動の初期で、給水部３ｅが給水開始し、ゴミ除去部３ｆが粘着ゲルシート２０に当接した状態を示し、図５（ｄ）は給水部３ｅが給水しながら、ゴミ除去部３ｆが粘着ゲルシート２０上のゴミと水分を除去している状態を示す。図６は実施例に対する撮影者の操作と、撮像装置の動作を説明する説明図である。
【００１５】
尚、図面に記載した座標方向は図１に示したカメラを正位置においた状態を正面から見た向きで定義した方向に固定する。
【００１６】
（構成）
本発明の実施例による撮像装置のゴミ除去機構の構成について説明する。
【００１７】
ゴミ除去機構は蓋部材に回転可能に固定されており、撮像装置を粘着させて撮影した後の収納時、蓋部材を閉じる際に粘着体に水分を供給し、水分とゴミ除去を行い、蓋部材を開く際に粘着体表面の水分を除去するように構成されている。
【００１８】
１は本発明の粘着体を備えた撮像装置であるカメラで、２はカメラ本体部、３は開閉可能な蓋部材であるところのスライド蓋である。スライド蓋３は閉じた状態において後述の粘着体を保護している。
【００１９】
カメラ本体２には上下にそれぞれ一対のスライド溝２ａ、ストッパ２ｂを備える。スライド溝２ａはカメラ本体２の右側面まで達しているが、端部には溝の深さの半分を覆うストッパ２ｂを設けてある。
【００２０】
開閉可能な蓋部材であるところのスライド蓋３はＸ方向正方向にスライドすることで後述の粘着ゲルシート２０を露出させる。スライド蓋３にはカバー３ａと、スライド機構として、それぞれ上下に一対ずつのガイド３ｃ、ガイドレール３ｄ、リンク１１を備える。
【００２１】
カバー３ａはスライド蓋３に回転可能に支持され、通常は粘着ゲルシート２０に対し、垂直の状態に不図示の付勢部材により付勢されてあり、スライド蓋３をスライドして移動する際は粘着ゲルシート２０の通過させるように左右に回動する。
【００２２】
ガイド３ｃはカメラ本体部２内部側に張り出す板状の部材で、上面には円滑に仕上げられたガイドレール３ｄが設けられ、カメラ本体部２のガイド溝２ａに嵌合してスライド蓋３を円滑にＸ方向左右にスライドさせる。
【００２３】
３ｅはスポンジなどの保水能力のある素材で構成される給水手段であるところの給水部であり、３ｆはワイパー形状のゴム素材などからなるゴミ除去手段であるところのゴミ除去部である。
【００２４】
給水部３ｅとゴミ除去部３ｆはゴミ除去ユニット３ｇに固定されており、ゴミ除去部３ｆの先端部の高さは、給水部３ｅの高さより高い。また、ゴミ除去ユニット３ｇは軸３ｈでスライド蓋３の内側に回転可能に支持されており、その回転範囲は水平からＣＷ方向へのみ、約３０度程度である。
【００２５】
この構成により、スライド蓋３がＸ方向左右に移動する際、ゴミ除去ユニット３ｇはゴミ除去部３ｆと粘着ゲルシート２０と当接することによって回転する。
【００２６】
つまり、スライド蓋３がＸ方向正方向へ移動する際は、ゴミ除去ユニット３ｇは約３０度ＣＷ回転し、給水部３ｅが粘着ゲルシート２０の表面より離間する。スライド蓋３がＸ方向負方向へ移動する際は、ゴミ除去ユニット３ｇは水平位置を保ち、給水部３ｅが粘着ゲルシート２０に給水する。給水部３ｅとゴミ除去部３ｆ及びゴミ除去ユニット３ｇはゴミ除去機構を構成している。
【００２７】
４はＩＳＯ感度、ホワイトバランスなどの撮影条件を切り替えるモード切り替えダイヤル、５はレリーズスイッチ、６は電源ボタンである。７は撮影光学系が搭載されたレンズ鏡筒部である。８は撮影時や再生時に映像表示を行う表示手段である液晶モニター、９はズームレバーである。１０はフラッシュ撮影を行う際の発光部である。
【００２８】
リンク１１はレバーで先端にピン１１ａを備え、軸１１ｂを回転中心にして、スライド蓋３に９０度の範囲で回転可能に取りつけられている。ピン１１ａの直径はガイドレール３ｄの幅よりせまく、ガイド溝２ａに嵌合して円滑にＸ方向左右にスライド可能だが、その高さがガイドレール３ｄより高く、スライド溝２ａの右端部にあるストッパ２ｂに当接し、その位置でＸ方向の移動は停止するが、その位置で回転は可能である。リンク１１もカメラ本体２の上下に一対備えている。
【００２９】
粘着体であるところの粘着ゲルシート２０はゲル素材であり、シリコン、ウレタン、スチレンなどの材料からなる。粘着ゲルシート２０は接着剤などでカメラ本体部２の背面に固定されている。
【００３０】
（動作の説明）
次に本発明の実施例による撮像装置に対する撮影者の操作と、撮像装置の動作について説明図（図６）を用いて説明する。
【００３１】
撮影者は収納状態の撮像装置のスライド蓋３閉じ状態から開き、粘着ゲルシート２０を露出させる為、スライド蓋３をＸ方向正方向へ移動する（Ｓ１、図４（ａ）白矢印）。
【００３２】
これにより撮像装置は、粘着ゲルシート２０にゴミ除去部３ｆが当接し、ゴミ除去ユニット３ｇは略３０度ＣＷ回転し、ストッパ３ｊに当接してその角度を維持し、給水部３ｅは粘着ゲルシート２０に当接できない高さに離間する（Ｓ２、図５（ａ））。
【００３３】
その後、ゴミ除去ユニット３ｇが粘着ゲルシート２０の上を通過する間、ゴミ除去部３ｆは撓みながら粘着ゲルシート２０の表面の余分な水分などを除去するが、給水部３ｅは粘着ゲルシート２０には接触しない。従って、粘着力を低下させる余分な水分を与えることはない（Ｓ３、図５（ｂ））。
【００３４】
スライド蓋３がＸ方向正方向の端部に近づくと、先ずスライド蓋３のガイドレール３ｄがガイド溝２ａから離脱し、リンク１１のピン１１ａがスライドストッパ２ｃに当接する。更にスライド蓋３が端部に達すると、リンク１１がピン１１ａを中心に略９０度ＣＷ回転し、同時にスライド蓋３をＺ方向正方向へ移動させて、粘着ゲルシート２０の高さから退避し、粘着ゲルシート２０の高さに粘着に際して障害となるものは存在しない（Ｓ４、図４（ｂ）白矢印）。
【００３５】
この状態でカメラ本体２を被着体である平面の壁に粘着させて撮影することができる（Ｓ５、図４（ｃ））。
【００３６】
撮影後にカメラ本体２を壁から外す。スライド蓋３の内側にある給水部３ｅにスポイドなどで水を追加する（Ｓ６）。
【００３７】
その後、収納の為、スライド蓋３をＺ方向負方向へ移動させるとリンク１１がＣＣＷ回転する。ガイドレール３ｄをガイド溝２ａに合わせて挿入し、Ｘ方向負方向へスライドさせてスライド蓋３の閉じを開始する（Ｓ７、図４（ｂ）黒矢印）。
【００３８】
Ｘ方向負方向へスライドされた場合、粘着ゲルシート２０には給水部３ｅが給水するのに十分なわずかな量だけ圧縮されて当接する。その後、ゴミ除去部３ｆが当接するとワイパー形状が撓み始めるので、ゴミ除去ユニット３ｇはＣＣＷ回転させられる反力をうける。しかし、ストッパ３ｉにより、ゴミ除去ユニット３ｇは略水平に保たれる（Ｓ８、図５（ｃ）黒矢印）。
【００３９】
その後、粘着ゲルシート２０に乗り上げた後も、給水部３ｅにより給水されてゴミ、粉体などが水分と置き換わり、表面に浮かしてから、ゴミ除去部３ｆは水分とゴミ除去を行なう（Ｓ９、図５（ｄ）黒矢印）。これにより、粘着ゲルシート２０の表面は清掃されて、十分な粘着力が復活する。
【００４０】
その後、スライド蓋３がＸ方向負方向の端部に到達し、粘着ゲルシート２０が覆われてスライド蓋３の閉じが完了する（Ｓ１０、図２（ａ））。
【００４１】
このように蓋部材の閉じ動作により、ゴミ除去機構が清掃を行う。
【００４２】
尚、次に粘着体を使用して撮影する場合はスライド蓋３を開き、給水を行わずにゴミ除去部のワイパーのみが動作するので、余分な水分が残っていても除去することができ、粘着体にとってより良い条件で粘着させることができる。
【００４３】
尚、本実施例ではゴミ除去ユニットをメカ構成によって機能の実施例を示したが、モータと電気回路を利用してスライド蓋の開閉動作との連動をとる構成であってもよい。
【００４４】
以上説明したように、ゲル素材などの粘着体を備える撮像装置の蓋部材にゴミ除去機構を備え、蓋部材の閉じ動作で粘着体へ給水後に水分とゴミ除去を行い、開き動作で水分を除去することができる。
【００４５】
従って、使用後の収納動作で粘着体の清掃が行われるので、粘着体の清掃の為の特別な動作をすることなく、粘着させて使用する際は、常にゴミ、粉体などが粘着面から除去されているので、粘着力低下による撮像装置の落下などを懸念することが無い。すなわち、粘着力低下を防止することが可能な撮像装置を提供することが出来る。
【００４６】
また、装置を壁に粘着させる際に蓋部材が粘着体の高さより退避できるので設置の邪魔になることも無い。
【符号の説明】
【００４７】
２  カメラ本体部、２ａ  スライド溝、３  スライド蓋、３ｄ  ガイドレール、
３ｅ  給水部、３ｆ  ゴミ除去部、１１  リンク、２０  粘着ゲルシート
【図１】
2019008085.tif 000003
【図２】
2019008085.tif 000004
【図３】
2019008085.tif 000005
【図４】
2019008085.tif 000006
【図５】
2019008085.tif 000007
【図６】
2019008085.tif 000008